(57)【要約】【課題】本来の応援グッズとしての用途の他に、物品の一時的な包装容器としての用を果たし得るバルーンを提供することを課題とする。【解決手段】バルーン本体２の内部に菓子その他の物品３を、前記バルーン本体２を揺動した際に前記物品３が自由に動き回るに十分な空間が確保される量、封入する。一実施形態においては、前記物品３と共に窒素ガスが充填される。また、前記バルーン本体２は不透明にされ、膨満時において外部から前記物品３の視認ができないようにされることもあり、その場合は前記物品３にくじ類が付加されることがある。【選択図】図１
2014088212.tif 000002
【特許請求の範囲】
【請求項１】
バルーン本体の内部に菓子その他の物品を収納して成り、前記物品の収納量は、前記バルーン本体を膨満させて揺動した際に、前記物品が前記バルーン本体内において自由に動き回ることができる範囲内の量とし、前記物品が前記バルーン本体内において自由に動き回って前記バルーン本体の内面に当たることにより、大きな衝突音を発することを可能にしたことを特徴とする物品を内包したバルーン。
【請求項２】
前記物品と共に窒素ガスを充填して膨満させた、請求項１に記載の物品を内包したバルーン。
【請求項３】
前記バルーン本体は不透明にし、膨満時において外部から前記物品を視認できないようにした、請求項１又は２に記載の物品を内包したバルーン。
【請求項４】
前記物品にくじ類を付加した、請求項３に記載の物品を内包したバルーン。
【請求項５】
バルーン本体の内部に菓子その他の物品を、前記バルーン本体を膨満させて揺動した際に前記物品が前記バルーン本体内において自由に動き回ることができる範囲内の量収納する工程と、前記物品を収納したバルーン本体内に液化窒素を供給した後、前記バルーン本体を封止する工程とから成るバルーンの製造方法。
【請求項６】
前記バルーン本体を加温して前記バルー本体内の窒素ガスの膨張を促進する工程を更に含む、請求項５に記載のバルーンの製造方法。
【発明の詳細な説明】
【技術分野】
【０００１】
本発明は、物品を内包したバルーンに関するものであり、より詳細には、菓子類その他の物品を内包していて、特に、スポーツ観戦時における応援の際等に使用するスティック型のバルーンとして実施するのに好適な、物品を内包したバルーン及びその製造方法に関するものである。
【背景技術】
【０００２】
近年、スティック型のバルーンが野球、バレーボールその他のスポーツ観戦時における応援グッズとして広く利用されるようになってきている。このスティック型バルーンは、長さが５０〜６０ｃｍ程の棒状のバルーンであって、スポーツ観戦時における応援等に際して、例えば、２本のスティック型バルーンを両手に持って、拍子木のように叩いて音を発生させることによって、応援を盛り上げる道具として用いられる。
【０００３】
このスティック型バルーンは、基本的には、一般のゴム風船と同様に、空気注入口から空気を吹き込んで膨らませるものであり、当然のことながら、当該バルーン内には空気のみが存することになる。このスティック型バルーンは通常使い捨てであり、一度使用した後、空気を抜いて廃棄されることが多い。一般玩具としての、空気を吹き込んで膨満させるむタイプのバルーンや、ヘリウムガスを充填して浮遊するようにしたバルーンについても同様である。
【先行技術文献】
【非特許文献】
【０００４】
【非特許文献１】http://www.iwamurahousou.com/
【非特許文献２】http://www.cittoplus.com/stickballoon/
【発明の概要】
【発明が解決しようとする課題】
【０００５】
上述したように、従来のスティック型バルーンは、専らスポーツ観戦時の応援グッズとして使用されるものであって、それ以上の用途はなく、一度使用した後は、空気を抜いて廃棄されることが多いというのが現状であり、また、他の各種バルーンについても同様である。
【０００６】
本発明はかかる現状に鑑みてなされたもので、本来の応援グッズとしての用途、あるいは、玩具としての用途の他に、物品の一時的な包装容器としての用を果たし得る、物品を内包したバルーン及びその製造方法を提供することを課題とする。
【課題を解決するための手段】
【０００７】
上記課題を解決するための請求項１に係る発明は、バルーン本体の内部に菓子その他の物品を収納して成り、前記物品の収納量は、前記バルーン本体を膨満させて揺動した際に、前記物品が前記バルーン本体内において自由に動き回ることができる範囲内の量とし、前記物品が前記バルーン本体内において自由に動き回って前記バルーン本体の内面に当たることにより、大きな衝突音を発することを可能にしたことを特徴とする物品を内包したバルーンである。
【０００８】
一実施形態においては、前記物品と共に窒素ガスを充填して膨満させる。また、一実施形態においては、前記バルーン本体を不透明にし、膨満時において外部から前記物品を視認できないようにする。その場合は、前記物品にくじ類を付加することがある。
【０００９】
上記課題を解決するための請求項５に係る発明は、バルーン本体の内部に菓子その他の物品を、前記バルーン本体を膨満させて揺動した際に前記物品が前記バルーン本体内において自由に動き回ることができる範囲内の量収納する工程と、前記物品を収納したバルーン本体内に液化窒素を供給した後、前記バルーン本体を封止する工程とから成る物品を内包したバルーンの製造方法である。
【００１０】
一実施形態においては、前記バルーン本体を加温して前記バルー本体内の窒素ガスの膨張を促進する工程を更に含む。
【発明の効果】
【００１１】
本発明に係るバルーンは上記のとおりであって、バルーン本体内に物品が封入されていることで、バルーン本体を叩いた際に物品が暴れてバルーン本体の内面に衝突することにより、バルーン本体のみの場合に生ずる音よりもかなり大きな音が生ずることになるために、例えば、スポーツ観戦や各種イベントに際して、応援等を盛り上げる効果が一層助長されるという効果がある。
【００１２】
また、本来の応援グッズや玩具として使用した後に、封入されている菓子を食べたり、玩具で遊んだりすることができるという楽しみを享受でき、更に、外部から封入物を視認することができない仕様の場合においては、期待を持って中身を取り出すことができる楽しみがあり、また、物品にくじ類が付加されている場合には、楽しみが倍加する効果がある。更に、本発明に係るバルーンの製造方法によれば、一旦膨満させた後封止する際に、空気抜けするおそれがないために、常に、バルーンを好ましい膨満状態にすることができる効果がある。
【図面の簡単な説明】
【００１３】
【図１】本発明に係るバルーンの構成を示す部分破断図である。
【図２】本発明に係るバルーンの作用を示す部分破断図である。
【発明を実施するための形態】
【００１４】
本発明を実施するための形態について、添付図面に依拠して説明する。図１は、本発明に係るバルーン１の構成を示す部分破断図であり、一実施形態として、スティック型バルーン用途に実施する場合が示されている。その場合のバルーン１は、一般のスティック型バルーンと同様の資材製、即ち、低密度ポリエチレン製であって、膨満時において長さ５０〜６０ｃｍ程の丸棒形状を呈するバルーン本体２と、バルーン本体２内に収納される菓子等の物品３とから成る。バルーン本体２には、必要に応じて、所望の絵柄、文字、宣伝広告文等が印刷される。
【００１５】
バルーン本体２は、一端部に、後に封止される開口部４を有する袋状に形成され、開口部４から菓子等の物品３が収納される。物品３の収納量は少なめとし、即ち、膨満時において物品３が自由に動き回るための空間が十分に確保される範囲内の量とする。バルーン本体２内に所定量の物品３を収納した後、バルーン本体２内に空気を供給して膨満させ、その状態で開口部４を封止する。この封止作業に際して空気抜けを極力防止するために、開口部４に逆止弁５を配備し、開口部４を封止した後に、逆止弁５から空気を供給することもある。なお、物品３が菓子の場合は、その酸化防止のために、窒素を充填することが推奨される。
【００１６】
本発明に係るバルーン１は、予め物品３を収納した状態で、折り畳んで、あるいは、空気を充填して膨満させた状態で店頭に陳列し、販売する。物品３が菓子であって窒素ガスを充填する場合は、窒素ガスを充填して膨満させた状態で店頭に陳列し、販売することになる。
【００１７】
このような、バルーン本体２に窒素ガスを充填して膨満させた後封止する方法を採る場合は、その封止作業に際してどうしてもガス漏れが生ずるために、バルーン１は当初の膨満状態を維持することができず、少し窄んだ状態となってしまう。そこで、本発明に係るバルーンの製造方法においては、バルーン本体２内へ物品３を適量収納した後、窒素ガスではなく液化窒素を供給し（スプレー状態に供給される。）、液化窒素を供給した後に開口部４を封止することとする。
【００１８】
この方法の場合、供給された液化窒素は、高圧下から急激に減圧されて約７００倍に膨張するため、バルーン本体２は膨満する。そして、その際バルーン本体２は既に封止されているため、窒素ガスが漏れてバルーン本体２が窄むことはない。また、液化窒素が気化して窒素ガスとなる際に急激に温度が低下するため、バルーン本体２内に封入された窒素ガスの体積は、バルーン本体２を膨満させるのに十分ではなく、常温にまで低下してバルーン本体２を十分に膨満させるまでに時間がかかる。そこで、本発明に係るバルーン１の量産工程においては、窒素ガスを封入したバルーン本体２を加温して、窒素ガスの膨張を促進する工程が付加される。
【００１９】
本発明に係るバルーン１は、スポーツ観戦に際しての応援用グッズであるスティック型バルーンとするのに最適である。その場合は、従来のスティック型バルーンと同じく、２本を両手に持って、拍子木のように叩いて音を発生させるようにして用いることが多いが、１本のみ用いて手で叩く等の使用法も可能である。そして、本発明に係るバルーン１の場合は更に、バルーン１を振り動かすだけの使用方法も可能である。
【００２０】
以上いずれの使用法においても、バルーン１の揺動に伴い、バルーン本体２内の物品３が自由に動き回ってバルーン本体２の内壁面に当たり、大きな衝突音を発するため、１本のみで応援グッズとしての用を果たし得るものとなる。そして、従来のように２本を用いて叩く場合は、その叩きによって生ずる音と、物品３の衝突によって生ずる音との相乗効果で、応援の盛り上げ効果が高められる。
【００２１】
応援グッズとして使用した後は開封し、封入されている物品３が菓子の場合はそれを食べることができ、物品３が玩具の場合はそれで遊ぶことができるといった楽しみを享受することができる。また、バルーン本体２が不透明で外部から物品３を視認することができない仕様の場合には、期待を持って中身を取り出すことができる楽しみがある。その場合は、物品３にくじ類（等賞、当たり・外れ、商品引換券等を含む）を付加することができ、楽しみを倍加することができる。
【００２２】
バルーン１は、一般的な玩具的用途のバルーンに適用することもできることは言うまでもない。例えば、バルーン本体２を動物やキャラクターの顔に仕立て、各種イベントにおいて用いたりすることができる。その場合においても、上記スティック型バルーンの場合と同様にして楽しむことができる。
【００２３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２４】
１    バルーン
２    バルーン本体
３    物品
４    開口部
５    逆止弁
【図１】
2014088212.tif 000003
【図２】
2014088212.tif 000004